(57)【要約】【課題】躯体壁面とその外側に足場を設けずに外壁を構築するに際し、躯体壁を構築する際に打ち込まれるコンクリートの圧力がその外側に位置させる外壁に掛からないようにすること【解決手段】躯体の基礎又は床面に下地フレームを立設させる工程、一端に外壁支持具の取付部を他端に外型枠支持具の取付部を設けた取付部材を下地フレームに固定する工程、取付部材に取り付けた外壁支持具に外壁パネルを固定する工程、取付金具に取り付けた外型枠支持具に型枠を固定する工程、外型枠の内側で配筋する工程、その内側に内型枠を配置する工程を含む構築方法【図面】図１【特許請求の範囲】
【請求項１】
躯体の基礎又は床面に下地フレームを立設させる工程、一端に外壁支持具の取付部を他端に外型枠支持具の取付部を設けた取付部材を下地フレームに固定する工程、取付部材に取り付けた外壁支持具に外壁パネルを固定する工程、取付金具に取り付けた外型枠支持具に型枠を固定する工程、外型枠の内側で配筋する工程、その内側に内型枠を配置する工程、を含む鉄筋コンクリート壁構築方法。
【請求項２】
形成した外壁の裏面に断熱材を吹きつけて断熱層を形成した後外型枠を固定する請求項１に記載の鉄筋コンクリート壁構築方法。
【請求項３】
外壁及び外型枠を固定させた後両者の間に断熱材を充填する請求項１に記載の鉄筋コンクリート壁構築方法。
【請求項４】
躯体壁面とその外側に構築する外壁とを連結する固定金具であって、互いに反対方向への移動を可能にして支持させた二つの可動部材と、一端に外壁支持具の取付部を他端に外型枠支持具の取付部を設けて可動部材の一方に固定させた取付部材と、可動部材を互いに反対方向へ移動させる移動装置とからなる連結固定金具。
【請求項５】
可動部材が長孔を利用してピン止めして互いに反対方向へのスライドを可能にした請求項４に記載の連結固定金具。
【請求項６】
可動部材がその内側の側縁同志を枢着させて外側縁が互いに反対方向への移動を可能にした請求項４に記載の連結固定金具。
【請求項７】
移動装置が可動部材に穿設した長孔とクサビとを組み合わせたものである請求項４又は５に記載の連結固定金具。
【請求項８】
移動装置が双方の可動部材側に設けた突起とその間に螺合させたネジとを組み合わせたものである請求項４、５又は６に記載の連結固定金具。
【請求項９】
外壁支持具の取付部と外型枠支持具の取付部とを別体で構成すると共に取付部同志をネジ嵌合させて取付部材を形成し、取付部自体を可動可能に組み合わせた請求項４に記載の連結固定金具。
【発明の詳細な説明】
【技術分野】
【０００１】
本発明は、鉄筋コンクリート壁構築方法並びに躯体壁面とその外側に構築する外壁とを連結する固定金具に関するものである。
【背景技術】
【０００２】
躯体壁面の外側に外壁を形成する構築方法として、特許文献１に記載のものが知られている。
ここに開示されている発明は、躯体の壁に直接外壁を構築するものであり、外壁を構成するパネルの内側に断熱層を張り合わせて外型枠パネルを形成し、その内側にセパレーターやファスナー固定用ボルトを直接ネジ込み、配筋を行った後、このボルトを利用して内型枠を固定してコンクリートを打ち込むようにしている。
【０００３】
この構成の構築方法では、躯体の壁に直接外壁を形成できると共に外壁の外側に足場を必要としない利点があるが、外壁自体に外型枠としての機能が求められることになる。したがって、外型枠パネル面及び断熱層の双方にコンクリートを打ち込む際の圧力に耐えられる強度が必要となり、これらを構成する素材及び構造にも制約が伴う結果となる。
【特許文献１】特開平2002-339467 号公報
【発明の開示】
【発明が解決しようとする課題】
【０００４】
本発明は、躯体壁面とその外側に足場を設けずに外壁を構築するに際し、躯体壁を構築する際に打ち込まれるコンクリートの圧力がその外側に位置させる外壁に掛からないようにすることを課題としたものである。
【課題を解決するための手段】
【０００５】
この技術的課題を解決するための第一の技術的手段は鉄筋コンクリート壁の構築方法に関するもので、（イ）躯体の基礎又は床面に下地フレームを立設させる工程、（ロ）一端に外壁支持具の取付部を他端に外型枠支持具の取付部を設けた取付部材を下地フレームに固定する工程、（ハ）取付部材に取り付けた外壁支持具に外壁パネルを固定する工程、（ニ）取付金具に取り付けた外型枠支持具に型枠を固定する工程、（ホ）外型枠の内側で配筋する工程、（ヘ）その内側に内型枠を配置する工程、を含む構成のものである。
【０００６】
取付部材は、一端に外壁支持具の取付部を他端に外型枠支持具の取付部を設けた構成のものであるから、躯体の基礎又は床面に立設させた下地フレームに取付部材を固定させることによって、下地フレームの外側に外壁を、内側に躯体壁を形成することができる。
【０００７】
取付部材の外方端の取付部に外壁支持具を取り付けると、下地フレームの空隙を利用して内側から外壁パネルを外壁支持具に固定させることが可能となり、下地フレームの外側に外壁を構築することができる。
取付部材の内方端の取付部に外型枠支持具を取り付けると、これに外型枠を固定させることができる。その内側で鉄筋を配筋し、さらにその内側に内型枠を配置することによって、躯体壁構築用の型枠の設置が完了する。
したがって、外壁と躯体壁とが間隔を設けて互いに独立して構築されるから、躯体壁を構築するために打ち込むコンクリートの圧力が外壁に掛かることはない。
【０００８】
取付部材における外壁支持具や外型枠支持具の取付部に対しては、外壁支持具や外型枠支持具を溶接によって取付部材に固定するようにしてもよいが、外壁支持具や外型枠支持具と取付部とを嵌合ないし挿入させてネジやビスで固定したり、あるいは両者をネジ嵌合させて固定するようにしておくと、これらの支持具の取付を簡単且つ確実に行うことができる。
【０００９】
下地フレームは、金属、木など、外壁を支持できる強度を持つものであれば使用かのうである。
取付部材の下地フレームへの固定は、下地フレームの素材に対応させて、溶接、ネジ固定など直接固定するようにする他、取付金具を介して固定することができる。後者の場合には、現場で位置を調整しながら固定できる利点がある。
【００１０】
本発明方法においては、外壁を構築した後で断熱施工を行うことができる。
断熱施工は、形成した外壁の裏面に断熱層を形成した後外型枠を固定する方法（請求項２参照）と、外壁及び外型枠を固定させた後両者の間に断熱剤を充填する方法（請求項３参照）とが考えられる。後者の場合は、断熱剤の充填を行う際に断熱剤の発泡倍率の計算や断熱剤の前注入手順を正確に行わないと充填されない部分が生じる可能性があるので細心の注意を払う必要がある。前者の場合には断熱板を固着する方法と断熱剤を吹きつける方法とがあるが、いずれも目で確認しながら行えるため、確実な断熱施工を行える利点がある。
【００１１】
前記の技術的課題を解決するための第二の技術的手段は、躯体壁と外壁とを連結する金具に関するもので、（ヘ）互いに反対方向への移動を可能にして支持させた二つの可動部材と、（ト）一端に外壁支持具の取付部を他端に外型枠支持具の取付部を設けて可動部材の一方に固定させた取付部材と、（チ）可動部材を互いに反対方向へ移動させる移動装置とで構成すること、である。
【００１２】
可動部材は、互いに反対方向への移動を可能にして支持されているから、互いに離れることなく可動部材の幅、すなわち外側に位置する可動部材の側縁間の距離を調節することができる。
取付部材は、一端に外壁支持具の取付部を他端に外型枠支持具の取付部を設けていて、可動部材の一方に固定させられているから、外壁と躯体壁とは、取付部材を介して互いに反対側に形成されることになる。
【００１３】
この金具には、可動部材を互いに反対方向へ移動させる移動装置が備えられているから、可動部材を互いに反対方向へ移動、すなわち外側に位置する側縁間の距離を離開又は近接させることによって、躯体の基礎又は床面に立設させた下地フレーム、例えば下地鉄骨に可動部材の外側縁を圧接させ、金具を固定させることができる。
したがって、外壁と躯体壁とを間隔を設けて形成し、互いに独立したものとなるから、躯体壁を構築するために打ち込むコンクリートの圧力が外壁に掛かることはない。
【００１４】
可動部材は、重合させた可動部材に穿設した長孔を利用してピン止めしたり（請求項５参照）、可動部材間に跨がってその移動方向と同方向に軸芯を位置させたネジを取り付け、これを回動することによってスライドさせる構成（請求項８参照）を採用することができる。
前者の場合、可動部材に別途長孔をその長手方向で位置をずらせて穿設しておき、クサビを打ち込んで可動部材同志をスライドさせることができるから、下地材への固定を簡便に行うことができる（請求項７参照）。
可動部材の内側の側縁を枢着させて可動部材を開閉させる構成を採用した場合には、可動部材間に跨がって取り付けたネジを回動させることによって、互いに反対方向へ移動させるように構成することもできる（請求項６、８参照）。
【００１５】
取付部材は、可動部材と別体に構成していずれかの可動部材に固着させる構成を採用するとその機構を極めて単純化することができる。また、可動部材と取付部材を一体に形成、例えば一方の可動部材外壁支持具の取付部を他方の可動部材に外型枠支持具の取付部を別体に形成し、両者をネジ嵌合させて可動部材を互いに反対方向に移動させるように構成しても良い（請求項９参照）。
【発明の効果】
【００１６】
躯体壁を構築するために打ち込むコンクリートの圧力が外壁に掛かることがないから、外壁には型枠としての機能が要求されない利点があり、風雨の遮断など外壁として一般的に要求される機能を発揮できるできる素材及び構造のものであればよいことになる。
また、外壁と躯体壁とを独立させられるため、外壁を構築した段階でその裏面に断熱材を接着させたり吹きつけたりして断熱層を形成できるから、任意の断熱素材を使用して任意の厚みの断熱層を形成することができる利点もある。
さらに、外壁は構築物の内側から形成できるため、外壁の外側に足場を設ける必要がなく、デットスペースを減らして土地を有効に利用した建物を建築できる利点もある。
【実施例１】
【００１７】
図１は、連結固定金具１を下地フレームとしての鉄骨２０に取り付けた状態の平面図である。
この実施例では、鉄骨２０は、一対のＣ型鉄鋼をその開口部２１を対向させたものを使用し、構築物の基礎部分１０から立設させている（図２参照）。
【００１８】
上下に積層させた可動部材としての鋼板２、２は、穿設した長孔３、３を利用してリベット４止めしてあって、分離すのことなく孔３の長手方向（図１では上下方向）で互いに反対方向へスライドできるようにしている。
この実施例では、長孔３の内方側に長孔５、５が形成してあり、ここにクサビ６を打ち込むことによって上下の鋼板２、２を互いに反対方向へ移動させて鉄骨の開口部２１の側縁に圧接させ、金具１を鉄骨２０に固定させている。
取付部材としてのフォームタイ７は、外方端に外壁支持具１１取付用の雌ネジ８を、内方端に外型枠支持具としてのセパレーター２５取付用の雌ネジ9 を備えていて、上側の鋼板２に溶接して取り付けている。
【００１９】
図２は、外壁１３を構築し、外型枠２６を組み付けた側面の断面図である（但し、固定金具１についてはハッチングを省略）。
外壁支持具１１は金属で形成しているが、フォームタイ７との間で熱を遮断するために、合成樹脂製の取付片１２を介してフォームタイ７に取り付けている。
この実施例では、外壁支持具１１を多段に設置してこれに羽目板を順次係止させるサイデイング形式の外壁１３を採用している。したがって、外型枠２６を固定する前に外壁を構築することになる。
なお、外壁１３の下方には水切り１４を設け、両者の間にはシール材１５を介在させている。
【００２０】
図３は、外壁１３及び内外の型枠２６、２７を組み付けた状態の平面図である（鉄筋部分は図示を省略）。
内外の型枠２６、２７は、一端をフォームタイ７に螺着させたセパレーター２２を介して固定させてあり、外壁１３と外型枠２６との間には、断熱剤１６を充填させた状態となっている。外型枠２６と内型枠２７との間２８に躯体形成用のコンクリートが打ち込まれることになる。
【００２１】
この実施例では、左右に配置した鉄骨２０、２０に跨がるように金具１を固定させているが、一本の鉄骨２０に対して鋼板２、２の左右いずれか側のみを圧接して金具１を取り付けることができる。この場合には、鋼板２の鉄骨２０の開口縁に沿って上下方向に溝を形成して置くなどして圧接部分を長く構成し、金具１が傾くのを防止できるようにしておくことが望ましい。
【実施例２】
【００２２】
図４は、実施例１と同様に、上下に積層して支持させた鋼板２、２を使用している。
フォームタイ３１は二分割してあって、外壁支持具取付部８側を上の鋼板２に、外型枠支持具取付部９側を下の鋼板２にそれぞれ固着させ、外型枠支持具取付部９の先端を外壁支持具取付部８の後端部内側に挿入させた構成となっている。
外型枠支持具取付部９の先端部内側には後端側からネジ３２が螺入させてあって、その先端を外壁支持具取付部８の後部に設けた隔壁３３に当接させ、ネジ３２を回動前進させることによって取付部８、９が離開して鋼板２、２が鉄骨２０の開口縁を押圧して固定できるようにしている。
【実施例３】
【００２３】
図５は鋼板２、２を用いずに取付部８、９自体を可動させて鉄骨２０を圧接するようにしたものである。
実施例２と同様に、フォームタイ３５を二分割しているが、外壁支持具取付部８の後端を外型枠支持具取付部９の先端部内側に螺入させてあって、一方の取付部を正逆方向に回動させることによって取付部同志が離開、近接するようにしている。
この実施例では、取付部を回動させて取付部８、９同志を近接させることによって取付部の開口部に突出形成した鍔３６、３７が鉄骨の開口縁を外側から圧迫して挟持する状態でフォームタイ３５を鉄骨２０に固定するようにしている。
【図面の簡単な説明】
【００２４】
【図１】固定した金具の平面図
【図２】外壁・外型枠を組み付けた側面断面図
【図３】外壁・内外高わくを組み付けた横断面図
【図４】他の実施例における金具の一部を切り欠いた平面図
【図５】取付部が移動する金具の横断面図
【符号の説明】
【００２５】
１連結固定金具、  ２可動部材としての鋼板、  ３長孔、  ４リベット、  ５クサビ打ち込み用長孔、  ６クサビ、  7 、31、35取付部材としてのフォームタイ、  ８外壁支持具取付部、  ９外型枠支持具取付部、  10躯体の基礎、  11外壁支持具、  12合成樹脂製取付片、  13外壁、  14水切り、  15シール材、  16断熱剤、  20下地フレームとしての鉄骨、  21鉄骨の開口部、  22セバレーター、  26外型枠、  27内型枠、  28躯体壁コンクート打ち込み部、  36、37鍔
【図１】
2006226053.tif 000002
【図２】
2006226053.tif 000003
【図３】
2006226053.tif 000004
【図４】
2006226053.tif 000005
【図５】
2006226053.tif 000006